(57)【要約】乾式電気集塵装置は、荷電時間Ｔ１において、捕集対象物を荷電させるための電流であるＤＣＯＮを高電圧電源から出力する。そして、乾式電気集塵装置は、荷電休止時間Ｔ２が開始してから第１時間帯Ｔ２−１の経過後の第２時間帯Ｔ２−２において、ＤＣＯＮよりも小さく、かつ第１時間帯Ｔ２−１における電流よりも大きな電流であるＤＣＢＣを高電圧電源から出力する。
2015114762.tif 000002
【特許請求の範囲】
【請求項１】
ガス中に含まれる捕集対象物を静電気力によって捕集する電気集塵装置であって、
前記ガスの流通方向に沿って対向して配置され、前記捕集対象物を荷電するための電界を形成する第１の電極及び第２の電極と、
荷電時間と荷電休止時間とを繰り返すように、前記第１の電極と前記第２の電極との間に電位差を与える電源とを備え、
前記電源は、前記荷電休止時間が開始してから第１時間帯経過後の第２時間帯に、前記荷電時間における電流よりも小さく、かつ前記第１時間帯における電流よりも大きな電流を出力する電気集塵装置。
【請求項２】
前記電源は、前記荷電休止時間の開始後における出力電圧低下の傾きが規定値以下となった場合に、前記規定値以下となった出力電圧となるように出力電流を上昇させて前記第２時間帯を開始する請求項１記載の電気集塵装置。
【請求項３】
前記電源は、出力電圧低下の傾きが前記規定値以下となった場合に予め定められた電圧値となるように電流を調整する請求項２記載の電気集塵装置。
【請求項４】
前記電源の動作周波数は、中周波以上である請求項１から請求項３の何れか１項記載の電気集塵装置。
【請求項５】
ガスの流通方向に沿って対向して配置され、ガス中に含まれる前記捕集対象物を荷電するための電界を形成する第１の電極及び第２の電極、及び荷電時間と荷電休止時間とを繰り返すように、前記第１の電極と前記第２の電極との間に電位差を与える電源を備え、前記捕集対象物を静電気力によって捕集する電気集塵装置の荷電制御プログラムであって、
コンピュータを、
前記荷電時間において、前記捕集対象物を荷電させるための所定の電流を前記電源から出力させる第１出力手段と、
前記荷電休止時間が開始してからの第１時間帯を決定し、かつ該第１時間帯経過後の第２時間帯において、前記荷電時間における電流よりも小さく、かつ前記第１時間帯における電流よりも大きな電流を決定し、前記電源から出力させる第２出力手段と、
して機能させる荷電制御プログラム。
【請求項６】
ガスの流通方向に沿って対向して配置され、ガス中に含まれる前記捕集対象物を荷電するための電界を形成する第１の電極及び第２の電極、及び荷電時間と荷電休止時間とを繰り返すように、前記第１の電極と前記第２の電極との間に電位差を与える電源を備え、前記捕集対象物を静電気力によって捕集する電気集塵装置の荷電制御方法であって、
前記荷電時間において、前記捕集対象物を荷電させるための所定の電流を前記電源から出力し、
前記荷電休止時間が開始してから第１時間帯経過後の第２時間帯において、前記荷電時間における電流よりも小さく、かつ前記第１時間帯における電流よりも大きな電流を前記電源から出力する、
荷電制御方法。
【発明の詳細な説明】
【技術分野】
【０００１】
本発明は、電気集塵装置、電気集塵装置の荷電制御プログラム、及び電気集塵装置の荷電方法に関するものである。
【背景技術】
【０００２】
石炭焚き等の発電プラント、焼結機等の製鉄原料プロセスは、ダスト（粒子状物質）を含む排ガスを排出する。このダストを除去するために、燃焼設備の下流側の煙道に、排ガス中のダストを静電気力によって捕集（「集塵」ともいう。）する電気集塵装置が備えられている。電気集塵装置は、集塵極である接地極と放電極とからなる荷電部との間に高電圧を印加し、コロナ放電によりガス中のダストに正または負の電荷を与えて、ダストを帯電させる。
ここで、高抵抗ダストが堆積した集塵極と放電極との間でコロナ放電を発生させていると、ダスト層に絶縁破壊が生じる逆電離現象が発生しやすく、逆電離現象が発生すると、集塵性能が大幅に低下する。
そこで、電気集塵装置の荷電制御において、逆電離に伴う集塵性能の低下を抑制するために、荷電休止時間を設け、荷電時間と荷電休止時間とを交互に繰り返して間欠的な荷電を行う間欠荷電方式が採用されている（特許文献１〜３）。【０００３】
このような間欠荷電方式では、逆電離の発生が顕著で著しく集塵性能が低下する状態では荷電休止時間を長くとり、集塵性能を改善させる。しかしながら、荷電休止時間は、電極に流れる電流の大きさを調整できない。このため、荷電休止時間を長くすると、荷電のための電圧（電極間の電位差）が低下し、その結果、電気集塵装置の集塵性能の低下を招くこととなる。
そこで、特許文献３には、荷電休止時間中にダストに必要最小限の低電流を流して集塵極と放電極との間に電界を形成することにより、高抵抗ダストの集塵性能を向上させることが開示されている。
【先行技術文献】
【特許文献】
【０００４】
【特許文献１】特開平５−５５１９１号公報
【特許文献２】特許第３６４３０６２号公報
【特許文献３】特開昭６０−５８２５１号公報
【発明の概要】
【発明が解決しようとする課題】
【０００５】
しかしながら、特許文献３に開示されている間欠荷電方式では、荷電休止時間、特に荷電休止時間の始期においても、電界が形成されているので荷電時間よりも電極間の電位差が小さいものの、逆電離が生じる可能性がある。【０００６】
本発明は、このような事情に鑑みてなされたものであって、逆電離の発生を抑制すると共に、間欠荷電の荷電休止による集塵性能の低下を抑制する、電気集塵装置、電気集塵装置の荷電制御プログラム、及び電気集塵装置の荷電制御方法を提供することを目的とする。
【課題を解決するための手段】
【０００７】
上記課題を解決するために、本発明の電気集塵装置、電気集塵装置の荷電制御プログラム、及び電気集塵装置の荷電制御方法は以下の手段を採用する。【０００８】
本発明の第一態様に係る電気集塵装置は、ガス中に含まれる捕集対象物を静電気力によって捕集する電気集塵装置であって、前記ガスの流通方向に沿って対向して配置され、前記捕集対象物を荷電するための電界を形成する第１の電極及び第２の電極と、荷電時間と荷電休止時間とを繰り返すように、前記第１の電極と前記第２の電極との間に電位差を与える電源とを備え、前記電源は、前記荷電休止時間が開始してから第１時間帯経過後の第２時間帯に、前記荷電時間における電流よりも小さく、かつ前記第１時間帯における電流よりも大きな電流を出力する。【０００９】
本構成に係る電気集塵装置は、ガス中に含まれる捕集対象物を静電気力によって捕集する。なお捕集対象物は、例えば、ガス中に含まれる煤塵である。【００１０】
そして、捕集対象物を荷電するための電界を形成する第１の電極と第２の電極が、ガスの流通方向に沿って対向して配置される。捕集対象物は、静電気力によって電極に捕集されることで、ガス中から除去される。
また、電源によって、荷電時間と荷電休止時間とを繰り返すように、第１の電極及び第２の電極との間に電位差が与えられる。すなわち、荷電時間と荷電休止時間とを交互に繰り返して間欠的な荷電を行う間欠荷電が行われる。荷電休止時間は、逆電離を発生させないことを目的に設けられている。【００１１】
ここで、荷電休止時間が長いと、電気集塵装置の集塵性能の低下を招くこととなる。また、荷電休止時間が開始してから一定時間に荷電時間よりも小さな電位差が与えられると、逆電離の抑制効果が低下する。
そこで、本構成に係る電源は、荷電休止時間が開始してから第１時間帯経過後の第２時間帯に、荷電時間における電流よりも小さく、かつ第１時間帯における電流よりも大きな電流を出力する。すなわち、荷電休止時間は第１時間帯と第２時間帯に分けられ、第１時間帯では電源は電流の出力が停止される。一方、第２時間帯では、荷電時間における電流よりも小さく、かつ第１時間帯における電流よりも大きな電流が電極に出力される。第２時間帯での出力電流は、換言すると、逆電離が生じる閾値未満の電位差を電極間に生じさせる電流である。すなわち、荷電休止時間であっても第２時間帯では、逆電離を生じさせない弱い電界を形成するための電圧が電源から出力される。これにより、荷電休止時間における集塵性能の低下が抑制される。
以上のように、本構成は、逆電離の発生を抑制すると共に、間欠荷電の荷電休止による集塵性能の低下を抑制できる。【００１２】
上記第一態様では、前記電源が、前記荷電休止時間の開始後における出力電圧低下の傾きが規定値以下となった場合に、前記規定値以下となった出力電圧となるように出力電流を上昇させて前記第２時間帯を開始することが好ましい。【００１３】
本構成によれば、荷電休止時間の開始後における出力電圧低下の傾きが規定値以下となった場合に、逆電離を発生させない電圧（電位差）となったと判定し、このときの出力電圧を維持するように電源からの出力電流が制御される。これにより、第２時間帯における出力電圧の値を適正なものにできる。なお、出力電圧低下の傾きを用いて逆電離が発生しない電圧を決定する理由は、逆電離を発生させない電圧の大きさは装置の特性、負荷等の状態によって変化するので、上記電圧の大きさを予め決定することが難しいためである。【００１４】
上記第一態様では、前記電源が、出力電圧低下の傾きが前記規定値以下となった場合に予め定められた電圧値となるように電流を調整することが好ましい。【００１５】
本構成によれば、第２時間帯における出力電圧をより早く適正な大きさにできる。【００１６】
上記第一態様では、前記電源の動作周波数が、中周波以上であることが好ましい。【００１７】
本構成によれば、第２時間帯における適正な電圧をより早く電源が出力できる。【００１８】
本発明の第二態様に係る電気集塵装置の荷電制御プログラムは、ガスの流通方向に沿って対向して配置され、ガス中に含まれる前記捕集対象物を荷電するための電界を形成する第１の電極及び第２の電極、及び荷電時間と荷電休止時間とを繰り返すように、前記第１の電極と前記第２の電極との間に電位差を与える電源を備え、前記捕集対象物を静電気力によって捕集する電気集塵装置の荷電制御プログラムであって、コンピュータを、前記荷電時間において、前記捕集対象物を荷電させるための所定の電流を前記電源から出力させる第１出力手段と、前記荷電休止時間が開始してからの第１時間帯を決定し、かつ該第１時間帯経過後の第２時間帯において、前記荷電時間における電流よりも小さく、かつ前記第１時間帯における電流よりも大きな電流を決定し、前記電源から出力させる第２出力手段と、して機能させる。【００１９】
本発明の第三態様に係る電気集塵装置の荷電制御方法は、ガスの流通方向に沿って対向して配置され、ガス中に含まれる前記捕集対象物を荷電するための電界を形成する第１の電極及び第２の電極、及び荷電時間と荷電休止時間とを繰り返すように、前記第１の電極と前記第２の電極との間に電位差を与える電源を備え、前記捕集対象物を静電気力によって捕集する電気集塵装置の荷電制御方法であって、前記荷電時間において、前記捕集対象物を荷電させるための所定の電流を前記電源から出力し、前記荷電休止時間が開始してから第１時間帯経過後の第２時間帯において、前記荷電時間における電流よりも小さく、かつ前記第１時間帯における電流よりも大きな電流を前記電源から出力する。
【発明の効果】
【００２０】
本発明によれば、逆電離の発生を抑制すると共に、間欠荷電の荷電休止による集塵性能の低下を抑制する、という優れた効果を有する。
【図面の簡単な説明】
【００２１】
【図１】本発明の実施形態に係る乾式電気集塵装置の概略図である。
【図２】本発明の実施形態に係る乾式電気集塵装置の電界形成部の拡大概略図である。
【図３】従来の間欠荷電方式における電流指令値と出力電圧の時間変化を示す図である。
【図４】本発明の実施形態に係る間欠荷電方式における電流指令値と出力電圧の時間変化を示す図である。
【図５】本発明の実施形態に係るパラメータを自動設定する処理の流れを示すフローチャートである。
【図６】本発明の実施形態に係る間欠荷電方式における出力電圧の時間変化の拡大図である。
【発明を実施するための形態】
【００２２】
以下に、本発明に係る電気集塵装置、電気集塵装置の荷電制御プログラム、及び電気集塵装置の荷電制御方法の一実施形態について、図面を参照して説明する。
【００２３】
図１は、本実施形態に係る乾式電気集塵装置１０の概略図である。乾式電気集塵装置１０は、ガスの流通方向に直列になるように配列された２つの電界形成部１１ａ，１１ｂを備える。燃焼排ガスは、乾式電気集塵装置１０の左側から流入し、電界形成部１１ａ，１１ｂを通過して右側から排出される。電界形成部１１ａ，１１ｂの下部に設けられているホッパ１２ａ，１２ｂには、捕集対象物（「ＥＰ内捕集ダスト」ともいう。）が一時的に集められ、灰処理設備により定期的に搬出される。なお、図１では電界形成部が２つ設けられているが、乾式電気集塵装置１０の要求性能に応じて１つまたは３つ以上の電界形成部が設けられても良い。
【００２４】
図２は、本実施形態に係る乾式電気集塵装置１０の電界形成部１１の拡大概略図である。
電界形成部１１は、アース電極２０と印加電極２１とが対向して配置され、ＥＰ内捕集ダストを荷電するための電界（「ＥＰ内捕集ダスト層」ともいう。）を形成する。ＥＰ内捕集ダストは、静電気力によって電極に捕集されることで、燃焼排ガス中から除去される。図２では、１組のアース電極２０及び印加電極２１が図示されているが、通常は一つのアース電極２０に対し複数の印加電極２１が交互に配置されている。
【００２５】
印加電極２１は、高電圧電源２６に接続され、電圧が印加される。
そして、アース電極２０に形成されたＥＰ内捕集ダスト層２０Ａで捕集されたＥＰ内捕集ダストは、予め設定されたサイクルでアース電極２０へ槌打が行われることにより、アース電極２０から剥離する。アース電極２０から剥離したＥＰ内捕集ダストは、落下してホッパ１２ａ，１２ｂに集められ、搬出される。なお、ＥＰ内捕集ダスト層２０Ａにおいて、集塵されたＥＰ内捕集ダストの固有電気抵抗値が１０１１〜１０１２Ω・ｃｍを超えるような高抵抗の場合、ＥＰ内捕集ダスト層２０Ａの電圧が著しく高くなり、ＥＰ内捕集ダスト層２０Ａで絶縁破壊、いわゆる逆電離現象が発生し、集塵性能の低下が起こる場合がある。
【００２６】
本実施形態に係る高電圧電源２６の動作周波数は、例えば、中周波（１００Ｈｚ）以上、若しくは高周波（１０ｋＨｚ以上）で動作するスイッチング電源（Switchmode Power Supply:ＳＭＰＳ）である。高電圧電源２６の動作周波数が中周波以上とされることによって、詳細を後述する本実施形態に係る間欠荷電方式をｍＳｅｃ単位で高精度に行うことが可能となる。なお、高電圧電源２６の出力電圧は、電圧センサ２８によって測定される。
【００２７】
高電圧電源２６は、出力する電流の大きさが電源制御装置３０によって制御される。また、電源制御装置３０は、電圧センサ２８によって測定された出力電圧の値が入力される。
電源制御装置３０は、例えば、ＣＰＵ（Central Processing Unit）、ＲＡＭ（Random
Access Memory）、デジタルＩ／Ｏ、アナログＩ／Ｏ、及びコンピュータ読み取り可能な記録媒体等から構成されている。そして、各種機能を実現するための一連の処理は、一例として、プログラムの形式で記録媒体等に記録されており、このプログラムをＣＰＵがＲＡＭ等に読み出して、情報の加工・演算処理を実行することにより、各種機能が実現される。
【００２８】
乾式電気集塵装置１０では、高電圧電源２６が、荷電時間と荷電休止時間とを繰り返すように、アース電極２０と印加電極２１との間に電位差を生じさせる。すなわち、電源制御装置３０は、荷電時間と荷電休止時間とを交互に繰り返して間欠的な荷電を行う間欠荷電を行うように高電圧電源２６を制御する。なお、荷電休止時間は、逆電離を発生させないことを目的に設けられており、高電圧電源２６からの出力電流が停止、又は荷電時間に比べて出力電流が小さくされる。
【００２９】
図３は、従来の間欠荷電方式を示す図であり、電源制御装置３０からの電流指令値の時間変化（デューティ比）と高電圧電源２６からの出力電圧の時間変化を示す。
電源制御装置３０は、荷電時間Ｔ１において、捕集対象物を荷電させるための所定の電流指令値を高電圧電源２６へ出力する。これにより、高電圧電源２６は、電流指令値に応じた電流を出力し、出力電圧が増加する。なお、電流指令値は、高電圧電源２６からの出力電流に比例する値である。
そして、荷電時間Ｔ１が経過すると、電源制御装置３０は、電流の出力を停止させる電流指令値を高電圧電源２６へ出力し、荷電休止時間Ｔ２に移行する。電流の出力を停止するとは、出力電流の大きさを略０（零）とすることである。これにより、出力電圧は低下する。
【００３０】
そして、荷電休止時間Ｔ２が終了すると、再び荷電時間Ｔ１へ移行する。荷電時間Ｔ１及び荷電休止時間Ｔ２は、予め定められた固定値とされており、図３では、一例として、荷電時間Ｔ１を５ｍＳｅｃとし、荷電休止時間Ｔ２を２０ｍＳｅｃとする。
【００３１】
ここで、荷電休止時間Ｔ２が長いと、乾式電気集塵装置１０の集塵性能の低下を招くこととなる。また、荷電休止時間Ｔ２が開始してから一定時間に荷電時間よりも小さな電位差が与えられると、逆電離の抑制効果が低下する。
【００３２】
図４は、本実施形態に係る間欠荷電方式を示す図であり、電源制御装置３０からの電流指令値の時間変化（デューティ比）と高電圧電源２６からの出力電圧の時間変化を示す。
本実施形態に係る荷電休止時間Ｔ２は、第１時間帯Ｔ２−１と第２時間帯Ｔ２−２に分けられる。第１時間帯Ｔ２−１では電流の出力を停止するように、電源制御装置３０が電流指令値を高電圧電源２６へ出力する。そして、電源制御装置３０は、第１時間帯Ｔ２−１経過後の第２時間帯Ｔ２−２に、荷電時間Ｔ１における電流よりも小さく、かつ第１時間帯Ｔ２−１における電流よりも大きな電流を出力するように電流指令値を高電圧電源２６へ出力する。
第２時間帯Ｔ２−２での出力電流は、換言すると、逆電離が生じる閾値未満の電位差を、アース電極２０と印加電極２１との間に生じさせる電流である。すなわち、荷電休止時間Ｔ２であっても第２時間帯Ｔ２−２では、逆電離を生じさせない弱い電界を形成するための電圧が高電圧電源２６から出力される。これにより、荷電休止時間Ｔ２における、集塵性能の低下が抑制される。
【００３３】
そして、荷電休止時間Ｔ２が終了すると、再び荷電時間Ｔ１へ移行する。なお、図４に示される５ｍＳｅｃの荷電時間Ｔ１、１０ｍＳｅｃの第１時間帯Ｔ２−１、及び１０ｍＳｅｃの第２時間帯Ｔ２−２時間Ｔ２は一例である。特に、第１時間帯Ｔ２−１及び第２時間帯Ｔ２−２は、固定値ではなく、詳細を後述するように荷電休止時間Ｔ２の時間範囲内で変動する。
【００３４】
なお、以下の説明において、荷電時間Ｔ１における電流指令値をＤＣＯＮ（Duty Cycle during ON Time）といい、荷電休止時間Ｔ２の第２時間帯Ｔ２−２における電流指令値をＤＣＢＣ（Duty Cycle during Base Charging）という。
そして、数１に示されるＤＣＯＮとＤＣＢＣとの比をＢＣＬＲ（Base Charging Level Ratio）といい、ＢＣＬＲは一例として０から５０％の範囲である。
【数１】
2015114762.tif 000003
【００３５】
また、荷電休止時間Ｔ２の第１時間帯Ｔ２−１の期間をＯｆｆＤ（Off time Duration）といい、荷電休止時間Ｔ２の第２時間帯Ｔ２−２の期間をＢＣＤ（Base Charging Duration）という。
そして、数２に示されるＯｆｆＤとＢＣＤとの比をＢＣＤＲ（Base Charging Duration Ratio）といい、ＢＣＤＲは一例として０から９９％の範囲である。
【数２】
2015114762.tif 000004
【００３６】
図５は、間欠荷電を行う場合に、電源制御装置３０によって実行される間欠荷電制御プログラムであって、本実施形態に係る第１時間帯Ｔ２−１と第２時間帯Ｔ２−２の電流指令値を自動設定するための処理の流れを示すフローチャートである。間欠荷電制御プログラムは電源制御装置３０の所定領域に予め記憶されている。間欠荷電制御プログラムは、例えば排ガス処理装置１の運転開始と共に開始される。
【００３７】
まず、ステップ１００では、出力電流をＤＣＯＮにまで上昇させる電流指令値を高電圧電源２６へ出力する。
【００３８】
次のステップ１０２では、荷電時間Ｔ１が終了したか否かを判定し、肯定判定の場合はステップ１０４へ移行する。否定判定の場合は、荷電時間Ｔ１が終了するまで出力電流をＤＣＯＮとする電流指令値を高電圧電源２６へ出力し続ける。
【００３９】
ステップ１０４では、荷電休止時間Ｔ２となったため、荷電をオフとするための電流指令値、例えば出力電流を０ｍＡとする電流指令値を高電圧電源２６へ出力する。これにより、高電圧電源２６からの出力電圧は低下する。
【００４０】
次のステップ１０６では、高電圧電源２６からの出力電圧の波形（以下「電圧波形」という。）の傾きが規定値以下となった否かを判定し、肯定判定の場合はステップ１０８へ移行する。否定判定の場合は、荷電オフの状態が維持される。
【００４１】
ステップ１０８では、電圧波形の傾きが規定値以下となった場合の出力電圧Ｖｂｃを記憶する。
【００４２】
次のステップ１１０では、ＤＣＢＣを示す電流指令値を高電圧電源２６へ出力する。なお、本制御を初めて行う場合は、予め定められたＤＣＢＣを示す電流指令値が、初期値として高電圧電源２６へ出力される。一方、２回目以降は、前回の制御におけるＤＣＢＣの最終値（前回最適値）が読み出され高電圧電源２６へ出力される。高電圧電源２６は、電流指令値により示されるＤＣＢＣの初期値又は前回最適値となるように電流を出力する。これにより荷電休止時間Ｔ２の第２時間帯Ｔ２−２が開始される。
すなわち、出力電圧低下の傾きに基づいて、荷電休止時間Ｔ２が開始してからの第１時間帯Ｔ２−１が決定され、かつ第１時間帯Ｔ２−１経過後の第２時間帯Ｔ２−２において、荷電時間Ｔ１における電流よりも小さく、かつ第１時間帯Ｔ２−１における電流よりも大きな電流が決定され、高電圧電源２６から出力される。
【００４３】
次のステップ１１２では、荷電休止時間Ｔ２が終了したか否かを判定し、肯定判定の場合はステップ１１４へ移行する。否定判定の場合はＤＣＢＣ出力の状態が維持される。
【００４４】
ステップ１１４では、電圧センサ２８による測定電圧、すなわち高電圧電源２６からの現在の出力電圧が電圧Ｖｂｃよりも高いか否かを判定する。肯定判定の場合はステップ１１６へ移行し、否定判定の場合はステップ１１８へ移行する。
【００４５】
ステップ１１６では、ＤＣＢＣの大きさを低下させる電流指令値を高電圧電源２６へ出力し、ステップ１２０へ移行する。
ステップ１１８では、ＤＣＢＣの大きさを上昇させる電流指令値を高電圧電源２６へ出力し、ステップ１２０へ移行する。
【００４６】
ステップ１２０では、荷電休止時間Ｔ２の終了に伴い、荷電休止時間の終了時におけるＤＣＢＣの最終値を最適値として保存し、ステップ１００へ戻り、荷電時間Ｔ１を開始する。
【００４７】
このように、間欠荷電制御プログラムによって荷電時間Ｔ１、並びに第１時間帯Ｔ２−１及び第２時間帯Ｔ２−２を含む荷電休止時間Ｔ２が繰り返される。
【００４８】
ここで、ステップ１０６〜１１８の処理について、図６を参照して説明する。図６は、本実施形態に係る間欠荷電方式における出力電圧の時間変化の拡大図である。
【００４９】
図６に示される傾きＡは規定値を超える傾きを示し、傾きＢは規定値以下となる傾きを示す。そして、傾きＢとなった出力電圧がＶｂｃで示される。
すなわち、荷電休止時間Ｔ２の開始後における出力電圧低下の傾きが規定値以下となった場合に、逆電離を発生させない電圧（電位差）となったと判定され、このときの出力電圧Ｖｂｃを維持するように出力電流が制御される。これにより、第２時間帯Ｔ２−２における出力電圧を、逆電離を発生させず、捕集対象部を荷電できる適正な値にできる。なお、出力電圧低下の傾きを用いて逆電離が発生しない電圧を決定する理由は、逆電離を発生させない電圧Ｖｂｃの大きさは乾式電気集塵装置１０の特性や負荷等の状態によって変化するので、電圧Ｖｂｃの大きさを精度良く予め決定することが難しいためである。
【００５０】
なお、傾きの規定値は、経験的に決定されてもよいし、シミュレーション等により決定されてもよい。
また、特性や負荷等の状態の変化が小さい乾式電気集塵装置１０では、出力電圧低下の傾きから電圧Ｖｂｃを決定せずに、予め電圧Ｖｂｃを決定し、電源制御装置３０が電圧Ｖｂｃを記憶し、この電圧Ｖｂｃとなるように出力電流が調整されてもよい。
【００５１】
そして、ステップ１１０〜ステップ１１８では、出力電圧低下の傾きが規定値以下となった場合、高電圧電源２６が、ＤＣＢＣの初期値又は前回最適値となるように電流を出力した後、規定値以下となった時点の電圧Ｖｂｃとなるように電流を調整する。ＤＣＢＣの初期値は、電圧Ｖｂｃに近似する出力電圧となるように予め設定されている。
従って、第２時間帯Ｔ２−２に移行する場合、電圧Ｖｂｃに近似する電圧が高電圧電源２６から時間遅れなく出力され、その後、電圧Ｖｂｃとなるように制御されるので、第２時間帯Ｔ２−２における適正な電圧をより早く電源が出力できる。
【００５２】
以上説明したように、本実施形態に係る乾式電気集塵装置１０は、荷電時間Ｔ１において、捕集対象物を荷電させるための電流であるＤＣＯＮを高電圧電源２６から出力する。そして、乾式電気集塵装置１０は、荷電休止時間Ｔ２が開始してから第１時間帯Ｔ２−１の経過後の第２時間帯Ｔ２−２において、ＤＣＯＮよりも小さく、かつ第１時間帯Ｔ２−１における電流よりも大きな電流であるＤＣＢＣを高電圧電源２６から出力する。
従って、本実施形態に係る乾式電気集塵装置１０は、逆電離の発生を抑制すると共に、間欠荷電の荷電休止による集塵性能の低下を抑制できる。
【００５３】
以上、本発明を、上記実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。また、複数の上記実施形態を組み合わせてもよい。
【００５４】
例えば、上記実施形態では、本発明を乾式電気集塵装置１０に適用する形態について説明したが、本発明は、これに限定されるものではなく、湿式電気集塵装置に適用する形態としてもよい。
【００５５】
また、上記実施形態で説明した間欠荷電制御プログラムの処理の流れも一例であり、本発明の主旨を逸脱しない範囲内において不要なステップを削除したり、新たなステップを追加したり、処理順序を入れ替えたりしてもよい。
【符号の説明】
【００５６】
１０    乾式電気集塵装置
２０    アース電極
２１    印加電極
２６    高電圧電源
【図１】
2015114762.tif 000005
【図２】
2015114762.tif 000006
【図３】
2015114762.tif 000007
【図４】
2015114762.tif 000008
【図５】
2015114762.tif 000009
【図６】
2015114762.tif 000010
【手続補正書】
【提出日】平成27年5月1日(2015.5.1)
【手続補正１】
【補正対象書類名】特許請求の範囲
【補正対象項目名】全文
【補正方法】変更
【補正の内容】
【特許請求の範囲】
【請求項１】
ガス中に含まれる捕集対象物を静電気力によって捕集する電気集塵装置であって、
前記ガスの流通方向に沿って対向して配置され、前記捕集対象物を荷電するための電界を形成する第１の電極及び第２の電極と、
荷電時間と荷電休止時間とを繰り返すように、前記第１の電極と前記第２の電極との間に電位差を与える電源とを備え、
前記電源は、前記荷電休止時間が開始してから第１時間帯経過後の第２時間帯に、前記荷電時間における電流よりも小さく、かつ前記第１時間帯における電流よりも大きな電流を出力し、
前記電源は、前記荷電休止時間の開始後における出力電圧低下の傾きが規定値以下となった場合に、前記規定値以下となった出力電圧となるように出力電流を上昇させて前記第２時間帯を開始する
電気集塵装置。
【請求項２】
（削除）
【請求項３】
前記電源は、出力電圧低下の傾きが前記規定値以下となった場合に予め定められた電圧値となるように電流を調整する
請求項１記載の電気集塵装置。
【請求項４】
前記電源の動作周波数は、中周波以上である請求項１又は請求項３記載の電気集塵装置。
【請求項５】
ガスの流通方向に沿って対向して配置され、ガス中に含まれる前記捕集対象物を荷電するための電界を形成する第１の電極及び第２の電極、及び荷電時間と荷電休止時間とを繰り返すように、前記第１の電極と前記第２の電極との間に電位差を与える電源を備え、前記捕集対象物を静電気力によって捕集する電気集塵装置の荷電制御プログラムであって、
コンピュータを、
前記荷電時間において、前記捕集対象物を荷電させるための所定の電流を前記電源から出力させる第１出力手段と、
前記荷電休止時間が開始してからの第１時間帯を決定し、かつ該第１時間帯経過後の第２時間帯において、前記荷電時間における電流よりも小さく、かつ前記第１時間帯における電流よりも大きな電流を決定し、前記電源から出力させる第２出力手段と、
して機能させ、
前記電源は、前記荷電休止時間の開始後における出力電圧低下の傾きが規定値以下となった場合に、前記規定値以下となった出力電圧となるように出力電流を上昇させて前記第２時間帯を開始する
荷電制御プログラム。
【請求項６】
ガスの流通方向に沿って対向して配置され、ガス中に含まれる前記捕集対象物を荷電するための電界を形成する第１の電極及び第２の電極、及び荷電時間と荷電休止時間とを繰り返すように、前記第１の電極と前記第２の電極との間に電位差を与える電源を備え、前記捕集対象物を静電気力によって捕集する電気集塵装置の荷電制御方法であって、
前記荷電時間において、前記捕集対象物を荷電させるための所定の電流を前記電源から出力し、
前記荷電休止時間が開始してから第１時間帯経過後の第２時間帯において、前記荷電時間における電流よりも小さく、かつ前記第１時間帯における電流よりも大きな電流を前記電源から出力し、
前記電源は、前記荷電休止時間の開始後における出力電圧低下の傾きが規定値以下となった場合に、前記規定値以下となった出力電圧となるように出力電流を上昇させて前記第２時間帯を開始する
荷電制御方法。
【手続補正書】
【提出日】平成28年7月22日(2016.7.22)
【手続補正１】
【補正対象書類名】明細書
【補正対象項目名】０００４
【補正方法】変更
【補正の内容】
【０００４】
【特許文献１】特公平５−５５１９１号公報
【特許文献２】特許第３６４３０６２号公報
【特許文献３】特開昭６０−５８２５１号公報
【国際調査報告】
2015114762.tif 000011
2015114762.tif 000012
2015114762.tif 000013
2015114762.tif 000014